(57)【特許請求の範囲】
【請求項１】
後面に空気吸込口が設けられ前面に空気吹出口が設けられた筐体と、該筐体の内部における前記空気吸込口側に配置された送風ファンと、前記筐体の内部における前記空気吸込口側に配置された熱交換器と、前記送風ファンを回転駆動するモータと、該モータを前記筐体に固定するためのモータ取付装置とを有する空気調和機において、
該モータ取付装置は、前記モータを載せる第１のモータ支持片と第２のモータ支持片が互いに平行となるように形成されたモータ取付体と、前記モータの回転軸に沿った方向の一方の端部を前記第１のモータ支持片に対して押し付ける第１のモータ締付バンドと、前記モータの回転軸に沿った方向の他方の端部を前記第２のモータ支持片に対して押し付ける第２のモータ締付バンドとを有し、
前記第１のモータ支持片は、一方の端部に形成された第１の係合爪と、他方の端部に前記第２のモータ支持片の方向に曲折して形成された第１の固定片と、該第１の固定片の曲折基端部の近傍に形成された第１の仮固定孔とを有し、
前記第２のモータ支持片は、一方の端部に形成された第２の係合爪と、他方の端部に前記第１のモータ支持片の方向に曲折して形成された第２の固定片と、該第２の固定片の曲折基端部の近傍に形成された第２の仮固定孔とを有し、
前記第１のモータ締付バンドは、前記第１の係合爪に係合できるよう一方の端部に形成された第１の係合孔と、前記第１のモータ支持片の前記第１の固定片に重ねられるよう他方の端部に形成された第３の固定片と、前記第１のモータ支持片の前記第１の仮固定孔に前記第１のモータ支持片の外側から挿入できるよう前記他方の端部に前記第３の固定片と平行に形成された第１の仮固定爪とを有し、
前記第２のモータ締付バンドは、前記第２の係合爪に係合できるよう一方の端部に形成された第２の係合孔と、前記第２のモータ支持片の前記第２の固定片に重ねられるよう他方の端部に形成された第４の固定片と、前記第２のモータ支持片の前記第２の仮固定孔に前記第２のモータ支持片の外側から挿入できるよう前記他方の端部に前記第４の固定片と平行に形成された第２の仮固定爪とを有する、
ことを特徴とする空気調和機。
【請求項２】
請求項１に記載の空気調和機において、
前記第１のモータ締付バンドの前記第３の固定片に第３のビス孔が形成され、前記第１のモータ支持片の前記第１の固定片に第１のビス孔が形成され、前記第３のビス孔と前記第１のビス孔が合致するとき前記第１の仮固定爪が前記第１の仮固定孔に仮固定され、
前記第２のモータ締付バンドの前記第４の固定片に第４のビス孔が形成され、前記第２のモータ支持片の前記第２の固定片に第２のビス孔が形成され、前記第４のビス孔と前記第２のビス孔が合致するとき前記第２の仮固定爪が前記第２の仮固定孔に仮固定される、
ことを特徴とする空気調和機。
【請求項３】
請求項２に記載の空気調和機において、
前記第１のモータ締付バンドの前記第１の仮固定爪の前記第１の係合孔の側と反対側に、前記仮固定の状態のとき、前記第１のモータ支持片の前記第１の仮固定孔の前記第１の係合爪の側と反対側のエッジに係合する、第１の切込みが形成され、
前記第２のモータ締付バンドの前記第２の仮固定爪の前記第２の係合孔の側と反対側に、前記仮固定の状態のとき、前記第２のモータ支持片の前記第２の仮固定孔の前記第２の係合爪の側と反対側のエッジに係合する、第２の切込みが形成されている、
ことを特徴とする空気調和機。
【請求項４】
請求項１、２又は３に記載の空気調和機において、
前記第１のモータ締付バンドの前記第１の仮固定爪は、第１の曲折片を介して前記第３の固定片と接続され、前記第３の固定片と前記第１の曲折片と前記第１の仮固定爪とがコ字形状に形成されており、
前記第２のモータ締付バンドの前記第２の仮固定爪は、第２の曲折片を介して前記第４の固定片と接続され、前記第４の固定片と前記第２の曲折片と前記第２の仮固定爪とがコ字形状が形成されている、
ことを特徴とする空気調和機。
【請求項５】
請求項１、２、３又は４に記載の空気調和機において、
前記筐体は天面と、底面と、左側面と、右側面と、前記熱交換器が配置される空間と前記送風ファンが配置される空間とを仕切る仕切板とを備え、
前記モータ取付装置の前記第１のモータ支持片と前記第２のモータ支持片を接続する接続片が設けられ、該接続片に前記天面に取り付けるための第１の取付片が形成され、
前記第１のモータ支持片の前記接続片の反対側に前記仕切板に取り付けるための第２の取付片が形成され、前記第２のモータ支持片の前記接続片の反対側に前記仕切板に取り付けるための第３の取付片が形成されていることを特徴とする空気調和機。
【発明の詳細な説明】
【技術分野】
【０００１】
本発明は空気調和機に関する。
【背景技術】
【０００２】
空気調和機の内のダクト型空気調和機１００として、例えば図４に示すように、室内天井板８０Ａと建屋天井壁８０Ｂとの間に、吊具Ｂ１、Ｂ２によって懸架されるものがある。このダクト型空気調和機１００は、中空の直方体で板金製の筐体１０を備え、その筐体１０の後面板１０ａには空気吸込口１１が形成され、前面板１０ｂには空気吹出口１２が形成されている。そして、その空気吸込口１１と空気吹出口１２を結ぶ空気流通路１３内において、空気吹出口１２の側に熱交換器２０が、空気吸込口１１の側に送風ファン５０が、それぞれ配置されている。
【０００３】
図５、図６にダクト型空気調和機１００の内部構成を示す。筐体１０は、熱交換器用の筐体１０Ａと送風ファン用の筐体１０Ｂとを、空気流通路１３が連通する仕切板１４を間に介在して組み合わせ、中空の直方体の形状に形成されている。
【０００４】
熱交換器用の筐体１０Ａは、天面を形成する天面板１０Ａ１と、底面を形成する底面板１０Ａ２と、右側面を形成する右側面板１０Ａ３と、左側面を形成する左側面板１０Ａ４により周囲が形成されている。この筐体１０Ａには、空気吹出口１２が形成され、内部には熱交換器２０が配置されている。そして、その筐体１０Ａの天面板１０Ａ１の内面には断熱材３０が配置され、底面板１０Ａ２の上面にはドレンパン４０が配置されている。
【０００５】
送風ファン用の筐体１０Ｂは、天面を形成する天面板１０Ｂ１と、底面を形成する底面板１０Ｂ２と、右側面を形成する右側面板１０Ｂ３と、左側面を形成する左側面板１０Ｂ４により周囲が形成されている。この筐体１０Ｂには、気吸込口１１が形成され、内部に送風ファン５０が配置されている。この送風ファン５０には、モータ６０によって回転駆動される羽根車５２をファンケース５１内に備えたシロッコファンが用いられ、空気吸込口１１から空気を吸い込んで空気流通路１３を介して熱交換器２０の方向に吹き出す。
【０００６】
ところで、ダクト型空気調和機１００の送風ファン５０は、羽根車５２の付近に塵埃が付着しやすく、定期的に清掃・保守・点検を行う必要があり、このときモータ６０を取り外す必要があるが、ダクト型空気調和機１００は比較的大型であり、モータ６０も大型で重量があるので、その取り付けや取り外しが困難になる。
【０００７】
そこで従来では、モータ６０を筐体１０Ｂに対して仮固定する機構を採用して、モータ６０を固定する前や取り外す前に仮固定できるようにして、その取り付けや取り外しを容易にすることが行われている。
【０００８】
図７はモータ６０の仮固定構造を有するモータ取付装置２００を示す図である（例えば、特許文献１参照）。２１０はコ字形状に折り曲げられたモータ取付体、２２０，２３０はモータ締付バンドである。
【０００９】
モータ取付体２１０は、モータ支持片２１１，２１２とそのモータ支持片２１１，２１２を相互に接続する接続片２１３で構成されている。モータ支持片２１１は、モータ６０の一方の側のボス部６２を支持する湾曲凹部２１１ａと、モータ締付バンド２２０を係合するための係合爪２１１ｂと、モータ締付バンド２２０を固定するための固定片２１１ｃと、その固定片２１１ｃから外側に突出するよう形成された仮固定爪２１１ｄを有する。また、モータ支持片２１２は、モータ６０の他方の側のボス部を支持する湾曲凹部２１２ａと、モータ締付バンド２３０を係合する係合爪２１２ｂと、モータ締付バンド２３０を固定するための固定片２１２ｃと、その固定片２１２ｃから外側に突出するよう形成された仮固定爪２１２ｄを有する。そして、接続片２１３には、モータ取付体２１０を筐体１０Ｂの天面板１０Ｂ１に取り付けるための取付片２１３ａが設けられている。
【００１０】
モータ締付バンド２２０には、湾曲したバンド部２２１と、モータ取付体２１０の係合爪２１１ｂに係合する係合孔２２２と、モータ支持片２１１の固定片２１１ｃに乗る固定片２２３と、その固定片２２３から外側に曲折して形成された仮固定片２２４と、その仮固定片２２４に形成された仮固定孔２２５とを有する。
【００１１】
モータ締付バンド２３０には、湾曲したバンド部２３１と、モータ取付体２１０の係合爪２１２ｂに係合する係合孔２３２と、モータ支持片２１２の固定片２１２ｃに乗る固定片２３３と、その固定片２３３から外側に曲折して形成された仮固定片２３４と、その仮固定片２３４に形成された仮固定孔２３５とを有する。
【００１２】
このモータ取付装置２００は、図８に示すように、モータ６０の回転軸６１が引き出される両側のボス部６２を、モータ取付体２１０のモータ支持片２１１，２１２の湾曲凹部２１１ａ，２１２ａに当接する。
【００１３】
そして、モータ締付バンド２２０の係合孔２２２をモータ取付体２１０の係合爪２１１ｂに係合してから、そのモータ締付バンド２２０の仮固定孔２２５がモータ支持片２１１の仮固定爪２１１ｄに係合するようにして、仮固定片２２４をモータ支持片２１１に仮固定する。
【００１４】
また、モータ締付バンド２３０の係合孔２３２をモータ取付体２１０の係合爪２１２ｂに係合してから、そのモータ締付バンド２３０の仮固定孔２３５がモータ支持片２１２の仮固定爪２１２ｄに係合するようにして、仮固定片２３４をモータ支持片２１２に仮固定する。
【００１５】
以上の結果、モータ取付装置２００にモータ６０が仮固定されるので、その後は、ネジＣ１によってモータ締付バンド２２０の固定片２２３をモータ支持片２１１の固定片２１１ｃに固定し、ネジＣ２によってモータ締付バンド２３０の固定片２３３をモータ支持片２１２の固定片２１２ｃに固定すれば、モータ６０がモータ取付装置２００に最終的に固定される。その後は、モータ取付体２１０を筐体１０Ｂの天面板１０Ｂ１にネジ固定すればよい。
【００１６】
このように、モータ６０を取り付けるときは、モータ６０をモータ取付装置２００に対して一時的に仮固定してからネジＣ１，Ｃ２による固定を行うことができる。また、モータ６０を取り外すときは、その逆の作業をすれば良い。よって、モータ取付装置２００に対するモータ６０の取り付け、取り外しの作業が容易となる。
【先行技術文献】
【特許文献】
【００１７】
【特許文献１】特開２０１３−２０４９９４号公報
【発明の概要】
【発明が解決しようとする課題】
【００１８】
しかしながら、図７、図８で説明したモータ取付装置２００は、モータ取付体２１０の固定片２１１ｃ，２１２ｃや仮固定爪２１１ｄ，２１２ｄがそれぞれモータ６０の外側を向くので、それらの固定片２１１ｃ，２１２ｃや仮固定爪２１１ｄ，２１２ｄがモータ６０の周辺作業の邪魔になり、作業性の低下を招いていた。
【００１９】
また、モータ取付装置２００とモータ６０のボス部６２との間に防振ゴムを介在させるときは、モータ締付バンド２２０の仮固定孔２２５にモータ支持片２１１の仮固定爪２１１ｄを係合し、モータ締付バンド２３０の仮固定孔２３５にモータ支持片２１２の仮固定爪２１２ｄを係合する際に、それら仮固定爪２１１ｄ，２１２ｄに大きな折り曲げ荷重が加わり、それら仮固定爪２１１ｄ、２１２ｄが変形するおそれがあった。
【００２０】
本発明の目的は、固定片や仮固定爪がモータ周辺の作業に悪影響を与えず、また変形しにくいようにしたモータ取付装置を備えた空気調和機を提供することである。
【課題を解決するための手段】
【００２１】
上記目的を達成するために、請求項１にかかる発明は、後面に空気吸込口が設けられ前面に空気吹出口が設けられた筐体と、該筐体の内部における前記空気吸込口側に配置された送風ファンと、前記筐体の内部における前記空気吸込口側に配置された熱交換器と、前記送風ファンを回転駆動するモータと、該モータを前記筐体に固定するためのモータ取付装置とを有する空気調和機において、該モータ取付装置は、前記モータを載せる第１のモータ支持片と第２のモータ支持片が互いに平行となるように形成されたモータ取付体と、前記モータの回転軸に沿った方向の一方の端部を前記第１のモータ支持片に対して押し付ける第１のモータ締付バンドと、前記モータの回転軸に沿った方向の他方の端部を前記第２のモータ支持片に対して押し付ける第２のモータ締付バンドとを有し、前記第１のモータ支持片は、一方の端部に形成された第１の係合爪と、他方の端部に前記第２のモータ支持片の方向に曲折して形成された第１の固定片と、該第１の固定片の曲折基端部の近傍に形成された第１の仮固定孔とを有し、前記第２のモータ支持片は、一方の端部に形成された第２の係合爪と、他方の端部に前記第１のモータ支持片の方向に曲折して形成された第２の固定片と、該第２の固定片の曲折基端部の近傍に形成された第２の仮固定孔とを有し、前記第１のモータ締付バンドは、前記第１の係合爪に係合できるよう一方の端部に形成された第１の係合孔と、前記第１のモータ支持片の前記第１の固定片に重ねられるよう他方の端部に形成された第３の固定片と、前記第１のモータ支持片の前記第１の仮固定孔に前記第１のモータ支持片の外側から挿入できるよう前記他方の端部に前記第３の固定片と平行に形成された第１の仮固定爪とを有し、前記第２のモータ締付バンドは、前記第２の係合爪に係合できるよう一方の端部に形成された第２の係合孔と、前記第２のモータ支持片の前記第２の固定片に重ねられるよう他方の端部に形成された第４の固定片と、前記第２のモータ支持片の前記第２の仮固定孔に前記第２のモータ支持片の外側から挿入できるよう前記他方の端部に前記第４の固定片と平行に形成された第２の仮固定爪とを有する、ことを特徴とする。
【００２２】
請求項２にかかる発明は、請求項１に記載の空気調和機において、前記第１のモータ締付バンドの前記第３の固定片に第３のビス孔が形成され、前記第１のモータ支持片の前記第１の固定片に第１のビス孔が形成され、前記第３のビス孔と前記第１のビス孔が合致するとき前記第１の仮固定爪が前記第１の仮固定孔に仮固定され、前記第２のモータ締付バンドの前記第４の固定片に第４のビス孔が形成され、前記第２のモータ支持片の前記第２の固定片に第２のビス孔が形成され、前記第４のビス孔と前記第２のビス孔が合致するとき前記第２の仮固定爪が前記第２の仮固定孔に仮固定される、ことを特徴とする。
【００２３】
請求項３にかかる発明は、請求項２に記載の空気調和機において、前記第１のモータ締付バンドの前記第１の仮固定爪の前記第１の係合孔の側と反対側に、前記仮固定の状態のとき、前記第１のモータ支持片の前記第１の仮固定孔の前記第１の係合爪の側と反対側のエッジに係合する、第１の切込みが形成され、前記第２のモータ締付バンドの前記第２の仮固定爪の前記第２の係合孔の側と反対側に、前記仮固定の状態のとき、前記第２のモータ支持片の前記第２の仮固定孔の前記第２の係合爪の側と反対側のエッジに係合する、第２の切込みが形成されている、ことを特徴とする。
【００２４】
請求項４にかかる発明は、請求項１、２又は３に記載の空気調和機において、前記第１のモータ締付バンドの前記第１の仮固定爪は、第１の曲折片を介して前記第３の固定片と接続され、前記第３の固定片と前記第１の曲折片と前記第１の仮固定爪とがコ字形状に形成されており、前記第２のモータ締付バンドの前記第２の仮固定爪は、第２の曲折片を介して前記第４の固定片と接続され、前記第４の固定片と前記第２の曲折片と前記第２の仮固定爪とがコ字形状が形成されている、ことを特徴とする。
【００２５】
請求項５にかかる発明は、請求項１、２、３又は４に記載の空気調和機において、前記筐体は天面と、底面と、左側面と、右側面と、前記熱交換器が配置される空間と前記送風ファンが配置される空間とを仕切る仕切板とを備え、前記モータ取付装置の前記第１のモータ支持片と前記第２のモータ支持片を接続する接続片が設けられ、該接続片に前記天面に取り付けるための第１の取付片が形成され、前記第１のモータ支持片の前記接続片の反対側に前記仕切板に取り付けるための第２の取付片が形成され、前記第２のモータ支持片の前記接続片の反対側に前記仕切板に取り付けるための第３の取付片が形成されていることを特徴とする。
【発明の効果】
【００２６】
本発明によれば、モータを取り付けるときは、そのモータをモータ取付装置に対して一時的に仮固定してから、ネジによる固定を行うことができる。また、モータを取り外すときは、その逆の作業をすれば良い。よって、モータ取付装置に対するモータの取り付け、取り外しの作業が容易となる。
【００２７】
また、第１及び第２のモータ支持片の第１及び第２の固定片が互いに対向するように内側を向き、第１及び第２の仮固定孔に係合する第１及び第２の仮固定爪も、第１及び第２のモータ支持片に取り付けられたときに互いに対向するように内側を向くので、それらの第１及び第２の固定片や第１及び第２の仮固定爪がモータの周辺を作業する際の邪魔になることはなく、作業性の低下を招くことはない。
【００２８】
また、第１及び第２のモータ締付バンドをモータに対して防振ゴムを介在させて締め付けるときでも、第１及び第３の固定片をネジ止めし、第２及び第４の固定片をネジ止めしたときは、第１及び第２の仮固定孔に係合する第１及び第２の仮固定爪はその完全に第１及び第２の仮固定孔に入り込んでいるので、第１及び第２の仮固定爪に変形が生じることはない。つまり、第１及び第２のモータ締付バンドに大きな荷重が加わった場合でも、モータ取付装置に変形が生じることはない。
【図面の簡単な説明】
【００２９】
【図１】本発明の実施例のモータ取付装置の分解斜視図である。
【図２】本発明の実施例のモータ取付装置にモータを取り付けた説明図である。
【図３】本発明の実施例のモータ取付装置にモータを取り付けたダクト型空気調和機の説明図である。
【図４】従来のダクト型空気調和機の取付説明図である。
【図５】従来のダクト型空気調和機の内部構造の説明図である。
【図６】図５の従来のダクト型空気調和機の左右を反転した内部構造の説明図である。
【図７】従来のモータ取付装置の分解斜視図である。
【図８】従来のモータ取付装置にモータを取り付けた説明図である。
【発明を実施するための形態】
【００３０】
図１に本発明の実施例のモータ取付装置７０を示す。このモータ取付装置７０は、図３に示すように、図４〜図５で説明したのと同様のダクト型空気調和機のモータ６０を筐体１０Ｂに取り付けるために使用される。図１において、７１はコ字形状に折り曲げられたモータ取付体、７２，７３は第１及び第２のモータ締付バンドである。
【００３１】
モータ取付体７１は、第１のモータ支持片７１ａ及び第２のモータ支持片７１ｂと、それらモータ支持片７１ａ，７１ｂを相互に接続すると共にモータ取付体７１を天面板１０Ｂ１に固定するための第１の取付片７１ｃ１を有する接続片７１ｃと、モータ取付体７１を仕切板１４に固定するための第２の取付片７１ｄと第３の取付片７１ｅとを有する。
【００３２】
第１のモータ支持片７１ａは、モータ６０の回転軸６１に沿った方向の一方のボス部６２（図２参照）に当接する第１の湾曲凹部７１ａ１と、第１のモータ締付バンド７２を係止するよう第２の取付片７１ｄの方向を向いた第１の係合爪７１ａ２と、第２のモータ締付バンド７２を固定するための第１の固定片７１ａ３と、その第１の固定片７１ａ３が曲折される部分の近傍に形成された第１の仮固定孔７１ａ４を有する。第１の係合爪７１ａ２は第１の固定片７１ａ３から離れた位置に形成されている。また、第１の固定片７１ａ３にネジ穴７１ａ３１が形成されている。また、第１の仮固定孔７１ａ４は、第１の係合爪７１ａ２の側と反対側が幅狭部７１ａ４１に形成されている。
【００３３】
第２のモータ支持片７１ｂは、モータ６０の回転軸６１に沿った方向の前記ボス部６２とは反対側のボス部（図２ではモータ締付バンド７３で隠れている）に当接する第２の湾曲凹部７１ｂ１と、第２のモータ締付バンド７３を係止するよう第３の取付片７１ｅの方向を向いた第２の係合爪７１ｂ２と、第２のモータ締付バンド７３を固定するための第２の固定片７１ｂ３と、その第２の固定片７１ｂ３が曲折される部分の近傍に形成された第２の仮固定孔７１ｂ４を有する。第２の係合爪７１ｂ２は第２の固定片７１ｂ３から離れた位置に形成されている。また、第２の固定片７１ｂ３にネジ穴７１ｂ３１が形成されている。また、第１の仮固定孔７１ｂ４は、第２の係合爪７１ｂ２の側と反対側が幅狭部７１ｂ４１に形成されている。
【００３４】
接続片７１ｃは、第１のモータ支持片７１ａと第２のモータ支持片７１ｂを第１の固定片７１ａ３と第２の固定片７１ｂ３の側において接続するためのもので、筐体１０Ｂの天面板１０Ｂ１に固定するための取付片７１ｃ１を有する。
【００３５】
第２の取付片７１ｄは第１のモータ支持片７１ａの前記した接続片７１ｃと反対側において内側（第２のモータ支持片７１ｂの側）に曲折して形成されている。また、第３の取付片７１ｅは第２のモータ支持片７１ｂの前記した接続片７１ｃと反対側において内側（第１のモータ支持片７１ａの側）に曲折して形成されている。
【００３６】
第１のモータ締付バンド７２は、中央部分が湾曲して形成された第１のバンド部７２ａと、一方の端部に形成された第１の係合孔７２ｂと、他方の端部に形成された第３の固定片７２ｃと、その第３の固定片７２ｃから曲折された第１の曲折片７２ｄと、その第１の曲折片７２ｄから内側に曲折された第１の仮固定爪７２ｅとを有する。第３の固定片７２ｃには、第３のネジ穴７２ｃ１が形成されている。第１の仮固定爪７２ｅには第１の係合孔７２ｂの側と反対側に開口する第１の切込み７２ｅ１が形成されている。
【００３７】
第２のモータ締付バンド７３は、中央部分が湾曲して形成された第２のバンド部７３ａと、一方の端部に形成された第２の係合孔７３ｂと、他方の端部に形成された第４の固定片７３ｃと、その第４の固定片７３ｃから曲折された第２の曲折片７３ｄと、その第２の曲折片７３ｄから内側に曲折された第２の仮固定爪７３ｅとを有する。第４の固定片７３ｃには、第４のネジ穴７３ｃ１が形成されている。第２の仮固定爪７３ｅには第２の係合孔７３ｂの側と反対側に開口する第２の切込み７３ｅ１が形成されている。
【００３８】
さて、このモータ取付装置７０にモータ６０を取り付けるときは、予め、モータ支持体７１の取付片７１ｄ，７１ｅを、熱交換器用の筐体１０Ａと送風ファン用の筐体１０Ｂを区画する仕切板１４の送風ファン用の筐体１０Ｂの側にネジ固定し、取付片７１ｃ１を天面板１０Ｂ１にネジ固定してから、モータ支持体７１の湾曲凹部７１ａ１にモータ６０の一方のボス部６２を当接させ、モータ支持体７１の湾曲凹部７１ｂ１にモータ６０の他方のボス部（図２ではモータ締付バンド７３で隠れている）を当接させる（図２参照）。
【００３９】
そして、モータ締付バンド７２の係合孔７２ｂをモータ支持片７１の係合爪７１ａ２に係合してから、そのモータ締付バンド７２の仮固定爪７２ｅを、モータ支持片７１ａの仮固定孔７１ａ４に外側から押し込むと、仮固定爪７２ｅの切込み７２ｅ１が仮固定孔７１ａ４の幅狭部７１ａ４１の奥のエッジ７１ａ４２を挟むように入り込む。
【００４０】
これにより、モータ締付バンド７２のバンド部７２ａがモータ６０のボス部６２を湾曲凹部７１ａ１に押圧した状態で、固定片７２ｃがモータ支持片７１の固定片７１ａ３に対してネジ穴７２ｃ１，７１ａ３１が合致するように重なり、仮固定が行われる。
【００４１】
また、モータ締付バンド７３の係合孔７３ｂをモータ支持片７１ｂの係合爪７１ｂ２に係合してから、そのモータ締付バンド７３の仮固定爪７３ｅを、モータ支持片７１ｂの仮固定孔７１ｂ４に外側から押し込むと、仮固定爪７３ｅの切込み７３ｅ１が仮固定孔７１ｂ４の幅狭部７１ｂ４１の奥のエッジ７１ｂ４２を挟むように入り込む。
【００４２】
これにより、モータ締付バンド７３のバンド部７３ａがモータ６０のボス部６２を湾曲凹部７１ｂ１に押圧した状態で、固定片７３ｃがモータ支持片７１の固定片７１ｂ３に対してネジ穴７３ｃ１，７１ｂ３１が合致するように重なり、仮固定が行われる。
【００４３】
このようにして、モータ取付装置７０に対してモータ６０が仮固定されるので、その後は、ネジＡ１をネジ穴７２ｃ１，７１ａ３１にネジ止めして、モータ締付バンド７２の固定片７２ｃをモータ支持片７１ａの固定片７１ａ３に固定する。また、ネジＡ２をネジ穴７３ｃ１、７１ｂ３１にネジ止めして、モータ締付バンド７３の固定片７３ｃをモータ支持片７１の固定片７１ｂ３に固定する。
【００４４】
以上の結果、モータ６０がモータ取付装置７０に固定される。図３に４台の送風ファン５０と、その４台の送風ファン５０を共通の回転軸６１で回転駆動するモータ６０と、そのモータ６０を天面板１０Ｂ１と仕切板１４に取り付けたモータ取付装置７０を示した。
【００４５】
本実施例では、このように、モータ６０を取り付けるときは、モータ６０をモータ取付装置７０に対して仮固定してから、ネジＡ１，Ａ２による固定を行うことができる。また、モータ６０を取り外すときは、その逆の作業をすれば良い。よって、モータ取付装置７０に対するモータ６０の取り付け、取り外しの作業が容易となる。
【００４６】
また、モータ支持体７１の固定片７１ａ３と固定片７１ｂ３が互いに対向するように内側を向き、さらに、モータ支持体７１の仮固定孔７１ａ４に係合するモータ締付バンド７２の第１の仮固定爪７２ｅと、仮固定孔７１ｂ４に係合するモータ締付バンド７３の仮固定爪７３ｅも、互いに対向するように内側を向く。このため、それら固定片７２ｃ，７３ｃや仮固定爪７２ｅ，７３ｅが、モータ６０の周辺を作業する際の邪魔になることはなく、作業性の低下を招くことはない。
【００４７】
また、モータ締付バンド７２，７３をモータ６０のボス部６２に対して防振ゴムを介在させて締め付けるときでも、仮固定孔７１ａ４、７１ｂ４に係合する仮固定爪７２ｅ，７３ｅは、ネジ穴７２ｃ１と７１ａ３１を合致させ、ネジ穴７３ｃ１と７１ｂ３１を合致させることで、根元まで完全に入り込むので、仮固定爪７２ｅ，７３ｅに変形が生じることはない。つまり、モータ締付バンド７２、７３に大きな荷重が加わった場合でも、モータ取付装置７０に変形が生じることはない。また、防振ゴムで仮固定状態がロックされる。
【符号の説明】
【００４８】
１０：筐体
１０Ａ：熱交換器用の筐体、１０Ａ１：天面板１０Ａ２：底面板１０Ａ３：右側面
１０Ｂ：送風ファン用の筐体、１０Ｂ１：天面板１０Ｂ２：底面板１０Ｂ３：右側面
１１：空気吸込口、１２：空気吹出口、１３：空気流通路、１４：仕切板
２０：熱交換器
３０：断熱材
４０：ドレンパン
５０：送風ファン、５１：ファンケース、５２：羽根車
６０：モータ、６１：回転軸、６２：ボス部
７０：モータ取付装置
７１：モータ取付体、７１ａ：第１のモータ支持片、７１ｂ：第２のモータ支持片、７１ｃ：接続片、７１ｃ１：第１の取付片、７１ｄ：第２の取付片、７１ｄ：第３の取付片、７１ａ１：第１の湾曲凹部、７１ｂ１：第２の湾曲凹部、７１ａ２：第１の係合爪、７１ｂ２：第２の係合爪、７１ａ３：第１の固定片、７１ｂ３：第２の固定片、７１ａ３１：第１のネジ穴、７１ｂ３１：第２のネジ穴、７１ａ４：第１の仮固定孔、７１ａ４１：幅狭部、７１ａ４２：エッジ、７１ｂ４：第２の仮固定孔、７１ｂ４１：幅狭部、７１ｂ４２：エッジ
７２：第１のモータ締付バンド、７２ａ：第１のバンド部、７２ｂ：第１の係合孔、７２ｃ：第３の固定片、７２ｃ１：第３のネジ穴、７２ｄ：第１の曲折片、７２ｅ：第１の仮固定爪、７２ｅ１：切込み
７３：第２のモータ締付バンド、７３ａ：第２のバンド部、７３ｂ：第２の係合孔、７３ｃ：第４の固定片、７３ｃ１：第４のネジ穴、７３ｄ：第２の曲折片、７３ｅ：第２の仮固定爪、７３ｅ１：切込み
８０Ａ：室内天井板、８１：吸込グリル、８２：吹出グリル
８０Ｂ：建屋天井壁
９０Ａ：吸込ダクト
９０Ｂ：吹出ダクト
【図１】
0006440096.tif 000002
【図２】
0006440096.tif 000003
【図３】
0006440096.tif 000004
【図４】
0006440096.tif 000005
【図５】
0006440096.tif 000006
【図６】
0006440096.tif 000007
【図７】
0006440096.tif 000008
【図８】
0006440096.tif 000009